(57)【要約】【課題】皮膚に付着した、粘性の高い体液の拭取性に優れる吸収性物品を提供すること。【解決手段】液透過性シートと、液不透過性シートと、それらの間の吸収体とを備える吸収性物品であって、上記吸収性物品が、体液の拭きり性を向上させる拭取性向上剤又は上記拭取性向上剤を含む拭取性向上組成物を含んでおり、上記拭取性向上剤が、０．６〜３．０のＩＯＢと、３９〜６０ｍＮ／ｍ（２５℃）の表面張力と、３０〜６５°（２５℃）のＰＥＴプレート接触角と、０〜３０°（２５℃）の水接触角と、９０〜５００ｍｍ2／ｓ（４０℃）の動粘度とを有することを特徴とする吸収性物品。【選択図】なし【特許請求の範囲】
【請求項１】
液透過性シートと、液不透過性シートと、それらの間の吸収体とを備える吸収性物品であって、
前記吸収性物品が、体液の拭きり性を向上させる拭取性向上剤又は前記拭取性向上剤を含む拭取性向上組成物を含んでおり、
前記拭取性向上剤が、
０．６〜３．０のＩＯＢと、
３９〜６０ｍＮ／ｍ（２５℃）の表面張力と、
３０〜６５°（２５℃）のＰＥＴプレート接触角と、
０〜３０°（２５℃）の水接触角と、
９０〜５００ｍｍ2／ｓ（４０℃）の動粘度と、
を有することを特徴とする、前記吸収性物品。
【請求項２】
前記拭取性向上剤が、１００ｇの脱イオン水に、１００ｇ（２５℃）以上の水溶解度を有する、請求項１に記載の吸収性物品。
【請求項３】
前記拭取性向上剤が、０．６〜２．２のＩＯＢを有する、請求項１又は２に記載の吸収性物品。
【請求項４】
前記拭取性向上剤が、６００〜１，８００の重量平均分子量を有する、請求項１〜３のいずれか一項に記載の吸収性物品。
【請求項５】
前記拭取性向上剤が、次の（ｉ）及び（ｉｉ）、
（ｉ）  （ｉ−１）炭化水素部分と、（ｉ−２）前記炭化水素部分のＣ−Ｃ単結合間に挿入された、カルボニル基（−ＣＯ−）及びオキシ基（−Ｏ−）から成る群から選択される、一又は複数の、同一又は異なる基とを有する化合物、及び
（ｉｉ）  （ｉｉ−１）炭化水素部分と、（ｉｉ−２）前記炭化水素部分のＣ−Ｃ単結合間に挿入された、カルボニル基（−ＣＯ−）及びオキシ基（−Ｏ−）から成る群から選択される、一又は複数の、同一又は異なる基と、（ｉｉｉ−３）前記炭化水素部分の水素原子を置換する、カルボキシル基（−ＣＯＯＨ）及びヒドロキシル基（−ＯＨ）から成る群から選択される、一又は複数の、同一又は異なる基とを有する化合物、
並びにそれらの任意の組み合わせから成る群から選択され、
ここで、（ｉ）及び（ｉｉ）の化合物において、オキシ基が２つ以上挿入されている場合には、各オキシ基は隣接していない、
請求項１〜４のいずれか一項に記載の吸収性物品。
【請求項６】
前記拭取性向上剤が、次の（ｉ’）及び（ｉｉ’）、
（ｉ’）  （ｉ’−１）炭化水素部分と、（ｉ’−２）前記炭化水素部分のＣ−Ｃ単結合間に挿入された、カルボニル結合（−ＣＯ−）、エステル結合（−ＣＯＯ−）、カーボネート結合（−ＯＣＯＯ−）、及びエーテル結合（−Ｏ−）から成る群から選択される、一又は複数の、同一又は異なる結合とを有する化合物、及び
（ｉｉ’）  （ｉｉ’−１）炭化水素部分と、（ｉｉ’−２）前記炭化水素部分のＣ−Ｃ単結合間に挿入された、カルボニル結合（−ＣＯ−）、エステル結合（−ＣＯＯ−）、カーボネート結合（−ＯＣＯＯ−）、及びエーテル結合（−Ｏ−）から成る群から選択される、一又は複数の、同一又は異なる結合と、（ｉｉ’−３）前記炭化水素部分の水素原子を置換する、カルボキシル基（−ＣＯＯＨ）及びヒドロキシル基（−ＯＨ）から成る群から選択される、一又は複数の、同一又は異なる基とを有する化合物、
並びにそれらの任意の組み合わせから成る群から選択され、
ここで、（ｉ’）及び（ｉｉ’）の化合物において、２以上の同一又は異なる結合が挿入されている場合には、各結合は隣接していない、
請求項１〜５のいずれか一項に記載の吸収性物品。
【請求項７】
前記拭取性向上剤が、（Ａ）  （Ａ１）炭化水素部分と、前記炭化水素部分のＣ−Ｃ単結合間に挿入された、カルボニル結合（−ＣＯ−）、エステル結合（−ＣＯＯ−）、カーボネート結合（−ＯＣＯＯ−）、及びエーテル結合（−Ｏ−）から成る群から選択される、一又は複数の、同一又は異なる結合と、前記炭化水素部分の水素原子を置換する、カルボキシル基（−ＣＯＯＨ）及びヒドロキシル基（−ＯＨ）から成る群から選択される、一又は複数の、同一又は異なる基とを有する化合物と、（Ａ２）ポリオキシアルキレングリコールとのエステル又はエーテルである、請求項１〜６のいずれか一項に記載の吸収性物品。
【請求項８】
（Ａ１）炭化水素部分と、前記炭化水素部分のＣ−Ｃ単結合間に挿入された、カルボニル結合（−ＣＯ−）、エステル結合（−ＣＯＯ−）、カーボネート結合（−ＯＣＯＯ−）、及びエーテル結合（−Ｏ−）から成る群から選択される、一又は複数の、同一又は異なる結合と、前記炭化水素部分の水素原子を置換する、カルボキシル基（−ＣＯＯＨ）及びヒドロキシル基（−ＯＨ）から成る群から選択される、一又は複数の、同一又は異なる基とを有する化合物が、（ａ１）糖類、（ａ２）鎖状炭化水素部分と、上記鎖状炭化水素部分の水素原子を置換する１〜１０個のヒドロキシル基とを有する化合物、（ａ３）鎖状炭化水素部分と、上記鎖状炭化水素部分の水素原子を置換する、２〜６個のカルボキシル基とを含むカルボン酸、ヒドロキシ酸、アルコキシ酸又はオキソ酸、及び（ａ４）  それらの任意のエーテル又はエステルからなる群から選択される、請求項７に記載の吸収性物品。
【請求項９】
前記拭取性向上剤が、分岐ポリマーである、請求項１〜８のいずれか一項に記載の吸収性物品。
【請求項１０】
体液の拭取性を向上させる拭取性向上剤又は前記拭取性向上剤を含む拭取性向上組成物と、繊維シートとを含む清浄化用シートであって、
前記拭取性向上剤が、
０．６〜３．０のＩＯＢと、
３９〜６０ｍＮ／ｍ（２５℃）の表面張力と、
３０〜６５°（２５℃）のＰＥＴプレート接触角と、
０〜３０°（２５℃）の水接触角と、
を有することを特徴とする、前記清浄化用シート。
【請求項１１】
前記拭取性向上剤が、９０〜５００ｍｍ2／ｓ（４０℃）の動粘度をさらに有する、請求項１０に記載の清浄化用シート。
【請求項１２】
拭取性向上剤又は前記拭取性向上剤を含む拭取性向上組成物の、体液の拭取性を向上させるための繊維製品への使用であって、
前記拭取性向上剤が、
０．６〜３．０のＩＯＢと、
３９〜６０ｍＮ／ｍ（２５℃）の表面張力と、
３０〜６５°（２５℃）のＰＥＴプレート接触角と、
０〜３０°（２５℃）の水接触角と、
を有することを特徴とする、前記使用。
【請求項１３】
前記拭取性向上剤が、９０〜５００ｍｍ2／ｓ（４０℃）の動粘度をさらに有する、請求項１２に記載の使用。
【請求項１４】
液透過性シートと、液不透過性シートと、それらの間の吸収体とを含む吸収性物品であって、
前記吸収性物品の肌当接面が、体液の拭きり性を向上させる拭取性向上剤又は前記拭取性向上剤を含む拭取性向上組成物を含んでおり、
前記拭取性向上剤が、
０．６〜３．０のＩＯＢと、
３９〜６０ｍＮ／ｍ（２５℃）の表面張力と、
３０〜６５°（２５℃）のＰＥＴプレート接触角と、
０〜３０°（２５℃）の水接触角と、
９０〜５００ｍｍ2／ｓ（４０℃）の動粘度と、
を有し、
前記拭取性向上剤が、清浄化用シートに移動し、着用者の皮膚に付着した体液を除去するように機能する、
ことを特徴とする、前記吸収性物品。
【請求項１５】
前記拭取性向上剤が、着用者の皮膚に体液が付着することを抑制するように機能する、請求項１４に記載の吸収性物品。
【発明の詳細な説明】
【技術分野】
【０００１】
本開示は、拭取性向上剤を含む吸収性物品、拭取性向上剤を含む清浄化用シート、及び拭取性向上剤の、体液の拭取性を向上させるための繊維製品への使用に関する。
【背景技術】
【０００２】
体液が皮膚に付着することを抑制するローション組成物を含む吸収性物品が知られている。
例えば、特許文献１及び２には、着用者によって着用されることが意図された吸収性物品であって、前記物品の身体に面する表面の少なくとも一部が、ローション組成物を含み、前記ローション組成物が、２５℃で液体である少なくとも１つの第１化合物と２５℃で固体である少なくとも１つの第２化合物を含み、
前記第１化合物が、液体ポリエチレングリコール誘導体又は液体ポリプロピレングリコール若しくはその誘導体であり、前記第２化合物が、固体ポリエチレングリコール誘導体又は固体ポリプロピレングリコール若しくはその誘導体であるか、あるいは、
前記第１化合物が、液体ポリエチレングリコール若しくはその誘導体、又は液体ポリプロピレングリコール若しくはその誘導体であり、前記第２化合物は、少なくとも１０のＨＬＢ値を有する固体非イオン性界面活性剤であり、あるいは、
前記第１化合物が少なくとも１つの脂肪酸単位及び少なくとも１つのエチレングリコール単位を有する液体脂肪酸エステルであり、前記第２化合物が固体ポリエチレングリコールであるか、あるいは、
前記第１化合物が液体ポリエチレングリコール若しくはその誘導体又は液体ポリプロピレングリコール若しくはその誘導体であり、前記第２化合物が、固体脂肪酸及び固体石鹸からなる群から選択される固体脂肪族化合物であり、
前記固体非イオン性界面活性剤が、エトキシ化脂肪族アルコールである場合、ＨＬＢ値は少なくとも１３であり、
前記固体脂肪族化合物が、固体脂肪酸である場合、液体の総量が、固体の総量よりも多い、吸収性物品が開示されている。
【０００３】
特許文献３には、ローション組成物を含む基材であって、前記ローション組成物が、
ａ）２５℃で液体であり、液体ポリエチレングリコール、液体ポリエチレングリコール誘導体、液体ポリプロピレングリコール、液体ポリプロピレングリコール誘導体、液体多価アルコール、少なくとも１つの脂肪酸単位及び少なくとも１つのエチレングリコール単位を含む液体脂肪酸エステル、少なくとも１つの脂肪酸単位及び少なくとも１つのプロピレングリコール単位を含む液体脂肪酸エステル、並びにこれらの混合物から成る群から選択される、約２０〜約８０重量％の１つ以上の化合物Ａと、
ｂ）２５℃で固体であり、固体ポリエチレングリコール誘導体、固体ポリプロピレングリコール誘導体、固体アルコキシル化非イオン性界面活性剤、固体グリセロールエステル、固体ソルビタン及び誘導体、固体スクロースエステル及びその誘導体、固体グルコースエステル及びその誘導体、並びにこれらの混合物から成る群から選択される、約５〜約５０重量％の１つ以上の化合物Ｂと、
ｃ）Ｃ１４〜Ｃ２２脂肪族アルコール、Ｃ１２〜Ｃ２２脂肪酸、固体脂肪石鹸、並びにカルナウバ、オゾケライト、蜜蝋、キャンデリラ、パラフィン、セレシン、エスパルト、レゾワックス、イソパラフィン、及びこれらの混合物から成る群から選択されるワックス、から成る群から選択される、約１〜約４０重量％の１つ以上の結晶化促進剤Ｃと、
を含み、
化合物Ａと結晶化促進剤（Ｃ）との重量比が、３：２〜１０：１である、基材が開示されている。
【先行技術文献】
【特許文献】
【０００４】
【特許文献１】特表２０１０−５２５８６２号公報
【特許文献２】特表２０１０−５２６６２９号公報
【特許文献３】特表２０１３−５０４４０８号公報
【発明の概要】
【発明が解決しようとする課題】
【０００５】
特許文献１〜３に記載のローション組成物は、糞便又は経血が皮膚に付着することを軽減することが記載されており、そして吸収性物品が使用され、着用者から取り外された後に、糞便又は経血を容易に除去することができることが記載されている。
しかし、本願発明者らが確認したところ、特許文献１〜３に記載のローション組成物を含む吸収性物品を着用した場合に、糞便又は経血が皮膚に付着することを完全に防ぐことは難しく、そして皮膚に付着した糞便又は経血は、除去しやすいものではないことが分かった。
【０００６】
また、特許文献１〜３に記載のローション組成物は、２５℃で固体である第２化合物（特許文献１及び２）又は化合物Ｂ（特許文献３）、結晶化促進剤Ｃ（特許文献３）等を含むため、ローション組成物が２５℃で固形状となり、着用初期において、吸収性物品がローション組成物に由来して着用感に劣るとともに、ローション組成物がその機能を発揮しにくいものであった。
従って、本開示は、皮膚に付着した、粘性の高い体液の拭取性に優れる吸収性物品を提供することを目的とする。
【課題を解決するための手段】
【０００７】
本開示者らは、液透過性シートと、液不透過性シートと、それらの間の吸収体とを備える吸収性物品であって、上記吸収性物品が、体液の拭きり性を向上させる拭取性向上剤又は上記拭取性向上剤を含む拭取性向上組成物を含んでおり、上記拭取性向上剤が、０．６〜３．０のＩＯＢと、３９〜６０ｍＮ／ｍ（２５℃）の表面張力と、３０〜６５°（２５℃）のＰＥＴプレート接触角と、０〜３０°（２５℃）の水接触角と、９０〜５００ｍｍ2／ｓ（４０℃）の動粘度とを有することを特徴とする吸収性物品を見出した。
【発明の効果】
【０００８】
本開示の吸収性物品は、皮膚に付着した、粘性の高い体液の拭取性に優れる。
【発明を実施するための形態】
【０００９】
具体的には、本開示は以下の態様に関する。
［態様１］
液透過性シートと、液不透過性シートと、それらの間の吸収体とを備える吸収性物品であって、
上記吸収性物品が、体液の拭きり性を向上させる拭取性向上剤又は上記拭取性向上剤を含む拭取性向上組成物を含んでおり、
上記拭取性向上剤が、
０．６〜３．０のＩＯＢと、
３９〜６５ｍＮ／ｍ（２５℃）の表面張力と、
３０〜６５°（２５℃）のＰＥＴプレート接触角と、
０〜３０°（２５℃）の水接触角と、
９０〜５００ｍｍ2／ｓ（４０℃）の動粘度と、
を有することを特徴とする、上記吸収性物品。
【００１０】
（ａ）上記拭取性向上剤は、所定の動粘度及び所定の表面張力を有するので、吸収性物品の使用前（例えば、保管時等）には、拭取性向上剤が移動しにくく、そして吸収性物品の使用時には、吸収性物品に存在する拭取性向上剤が、吸収性物品から離れ、吸収性物品の着用者の皮膚に移動しやすくなる。
【００１１】
（ｂ）また、上記拭取性向上剤は、所定の動粘度及び所定のＰＥＴプレート接触角を有するため、着用者の肌に移動した拭取性向上剤が皮膚上に拡がり、皮膚上に被膜を形成しやすくなる。
（ｃ）また、上記拭取性向上剤は、所定のＩＯＢを有することにより、疎水性物質及び親水性物質とある程度の親和性を有するため、粘性の高い体液（例えば、糞便、軟便、経血等）と一定の親和性（なじみやすさ）を有し、体液が上記被膜と適度になじむことができる。
【００１２】
（ｄ）また、上記拭取性向上剤は、所定の動粘度及び水接触角を有するため、清浄化用シート（例えば、ウェットワイプス）を用いて皮膚を清浄化する際に、皮膚上に存在する拭取性向上剤が、清浄化用シートに移動することができる。
（ｅ）また、上記拭取性向上剤は、所定のＩＯＢ、所定の表面張力、所定のＰＥＴプレート接触角及び所定の水接触角を有するため、清浄化用シートに移動した拭取性向上剤が、清浄化用シートから離れにくく、そして清浄化用シート上の拭取性向上剤が、体液と一定の親和性を有するため、体液を、皮膚上に形成された被膜ごと除去することができる。
【００１３】
（ｆ）さらに、上記拭取性向上剤は、所定のＩＯＢ、所定の表面張力、所定のＰＥＴプレート接触角及び所定の水接触角を有するため、拭取性向上剤と、体液とを離れにくくすることができ、清浄化用シートが、皮膚から除去した体液を保持することができる。
以上により、上記拭取性向上剤は、皮膚に付着した体液の拭取性に優れる。
【００１４】
［態様２］
上記拭取性向上剤が、１００ｇの脱イオン水に、１００ｇ（２５℃）以上の水溶解度を有する、態様１に記載の吸収性物品。
【００１５】
上記吸収性物品では、上記拭取性向上剤が、所定の水溶解度を有するので、着用者の皮膚に残存する拭取性向上剤が、新たな清浄化用シート等により除去されやすく、着用者の皮膚に残存しにくくなる。
【００１６】
［態様３］
上記拭取性向上剤が、０．６〜２．２のＩＯＢを有する、態様１又は２に記載の吸収性物品。
【００１７】
上記吸収性物品では、拭取性向上剤が所定のＩＯＢを有するので、拭取性向上剤が、親水性の高い体液、例えば、尿との親和性が高くなりすぎず、拭取性向上剤が、親水性の高い体液により流れにくくなる。
【００１８】
［態様４］
上記拭取性向上剤が、６００〜１，８００の重量平均分子量を有する、態様１〜３のいずれか一項に記載の吸収性物品。
【００１９】
上記吸収性物品では、上記拭取性向上剤が所定の重量平均分子量を有するので、着用者が、拭取性向上剤にべたつきを覚えにくい。
【００２０】
［態様５］
上記拭取性向上剤が、次の（ｉ）及び（ｉｉ）、
（ｉ）  （ｉ−１）炭化水素部分と、（ｉ−２）上記炭化水素部分のＣ−Ｃ単結合間に挿入された、カルボニル基（−ＣＯ−）及びオキシ基（−Ｏ−）から成る群から選択される、一又は複数の、同一又は異なる基とを有する化合物、及び
（ｉｉ）  （ｉｉ−１）炭化水素部分と、（ｉｉ−２）上記炭化水素部分のＣ−Ｃ単結合間に挿入された、カルボニル基（−ＣＯ−）及びオキシ基（−Ｏ−）から成る群から選択される、一又は複数の、同一又は異なる基と、（ｉｉｉ−３）上記炭化水素部分の水素原子を置換する、カルボキシル基（−ＣＯＯＨ）及びヒドロキシル基（−ＯＨ）から成る群から選択される、一又は複数の、同一又は異なる基とを有する化合物、
並びにそれらの任意の組み合わせから成る群から選択され、
ここで、（ｉ）及び（ｉｉ）の化合物において、オキシ基が２つ以上挿入されている場合には、各オキシ基は隣接していない、
態様１〜４のいずれか一項に記載の吸収性物品。
【００２１】
上記吸収性物品では、拭取性向上剤が所定の構造を有するため、拭取性向上剤が、皮膚に付着した体液の拭取り性に優れる。
【００２２】
［態様６］
上記拭取性向上剤が、次の（ｉ’）及び（ｉｉ’）、
（ｉ’）  （ｉ’−１）炭化水素部分と、（ｉ’−２）上記炭化水素部分のＣ−Ｃ単結合間に挿入された、カルボニル結合（−ＣＯ−）、エステル結合（−ＣＯＯ−）、カーボネート結合（−ＯＣＯＯ−）、及びエーテル結合（−Ｏ−）から成る群から選択される、一又は複数の、同一又は異なる結合とを有する化合物、及び
（ｉｉ’）  （ｉｉ’−１）炭化水素部分と、（ｉｉ’−２）上記炭化水素部分のＣ−Ｃ単結合間に挿入された、カルボニル結合（−ＣＯ−）、エステル結合（−ＣＯＯ−）、カーボネート結合（−ＯＣＯＯ−）、及びエーテル結合（−Ｏ−）から成る群から選択される、一又は複数の、同一又は異なる結合と、（ｉｉ’−３）上記炭化水素部分の水素原子を置換する、カルボキシル基（−ＣＯＯＨ）及びヒドロキシル基（−ＯＨ）から成る群から選択される、一又は複数の、同一又は異なる基とを有する化合物、
並びにそれらの任意の組み合わせから成る群から選択され、
ここで、（ｉ’）及び（ｉｉ’）の化合物において、２以上の同一又は異なる結合が挿入されている場合には、各結合は隣接していない、
態様１〜５のいずれか一項に記載の吸収性物品。
【００２３】
上記吸収性物品では、拭取性向上剤が所定の構造を有するため、拭取性向上剤が、皮膚に付着した体液の拭取り性に優れる。
【００２４】
［態様７］
上記拭取性向上剤が、（Ａ）  （Ａ１）炭化水素部分と、上記炭化水素部分のＣ−Ｃ単結合間に挿入された、カルボニル結合（−ＣＯ−）、エステル結合（−ＣＯＯ−）、カーボネート結合（−ＯＣＯＯ−）、及びエーテル結合（−Ｏ−）から成る群から選択される、一又は複数の、同一又は異なる結合と、上記炭化水素部分の水素原子を置換する、カルボキシル基（−ＣＯＯＨ）及びヒドロキシル基（−ＯＨ）から成る群から選択される、一又は複数の、同一又は異なる基とを有する化合物と、（Ａ２）ポリオキシアルキレングリコールとのエステル又はエーテルである、態様１〜６のいずれか一項に記載の吸収性物品。
【００２５】
上記吸収性物品では、拭取性向上剤が所定の構造を有するため、拭取性向上剤が、皮膚に付着した体液の拭取り性に優れる。
【００２６】
［態様８］
（Ａ１）炭化水素部分と、上記炭化水素部分のＣ−Ｃ単結合間に挿入された、カルボニル結合（−ＣＯ−）、エステル結合（−ＣＯＯ−）、カーボネート結合（−ＯＣＯＯ−）、及びエーテル結合（−Ｏ−）から成る群から選択される、一又は複数の、同一又は異なる結合と、上記炭化水素部分の水素原子を置換する、カルボキシル基（−ＣＯＯＨ）及びヒドロキシル基（−ＯＨ）から成る群から選択される、一又は複数の、同一又は異なる基とを有する化合物が、（ａ１）糖類、（ａ２）鎖状炭化水素部分と、上記鎖状炭化水素部分の水素原子を置換する１〜１０個のヒドロキシル基とを有する化合物、（ａ３）鎖状炭化水素部分と、上記鎖状炭化水素部分の水素原子を置換する、１〜６個のカルボキシル基とを含むカルボン酸、ヒドロキシ酸、アルコキシ酸又はオキソ酸、及び（ａ４）  それらの任意のエーテル又はエステルからなる群から選択される、態様７に記載の吸収性物品。
【００２７】
上記吸収性物品では、拭取性向上剤が所定の構造を有するため、拭取性向上剤が、皮膚に付着した体液の拭取り性に優れる。
【００２８】
［態様９］
上記拭取性向上剤が、分岐ポリマーである、態様１〜８のいずれか一項に記載の吸収性物品。
【００２９】
上記吸収性物品では、拭取性向上剤が分岐ポリマーであるため、拭取性向上剤が２５℃において高い粘度を有することができ、常温での保管時等に、拭取性向上剤が移動しにくい。
【００３０】
［態様１０］
体液の拭取性を向上させる拭取性向上剤又は上記拭取性向上剤を含む拭取性向上組成物と、繊維シートとを含む清浄化用シートであって、
上記拭取性向上剤が、
０．６〜３．０のＩＯＢと、
３９〜６０ｍＮ／ｍ（２５℃）の表面張力と、
３０〜６５°（２５℃）のＰＥＴプレート接触角と、
０〜３０°（２５℃）の水接触角と、
を有することを特徴とする、上記清浄化用シート。
【００３１】
上記清浄化用シートは、態様１における（ｅ）及び（ｆ）の効果を発揮することができる。
【００３２】
［態様１１］
上記拭取性向上剤が、９０〜５００ｍｍ2／ｓ（４０℃）の動粘度をさらに有する、態様１０に記載の清浄化用シート。
【００３３】
上記清浄化用シートでは、皮膚を清浄化する際に、拭取性向上剤が着用者の皮膚に移動することができるので、拭取性向上剤が、態様１における（ｂ）〜（ｆ）の効果を発揮することができる。
【００３４】
［態様１２］
拭取性向上剤又は上記拭取性向上剤を含む拭取性向上組成物の、体液の拭取性を向上させるための繊維製品への使用であって、
上記拭取性向上剤が、
０．６〜３．０のＩＯＢと、
３９〜６０ｍＮ／ｍ（２５℃）の表面張力と、
３０〜６５°（２５℃）のＰＥＴプレート接触角と、
０〜３０°（２５℃）の水接触角と、
を有することを特徴とする、上記使用。
【００３５】
上記使用では、上記拭取性向上剤及び拭取性向上組成物が、態様１における（ｅ）及び（ｆ）に類する効果を発揮することができる。
【００３６】
［態様１３］
上記拭取性向上剤が、９０〜５００ｍｍ2／ｓ（４０℃）の動粘度をさらに有する、態様１２に記載の使用。
【００３７】
上記使用では、皮膚を清浄化する際に、拭取性向上剤が着用者の皮膚に移動することができるので、拭取性向上剤が、態様１における（ｂ）〜（ｆ）に類する効果を発揮することができる。
【００３８】
［態様１４］
液透過性シートと、液不透過性シートと、それらの間の吸収体とを含む吸収性物品であって、
上記吸収性物品の肌当接面が、体液の拭きり性を向上させる拭取性向上剤又は上記拭取性向上剤を含む拭取性向上組成物を含んでおり、
上記拭取性向上剤が、
０．６〜３．０のＩＯＢと、
３９〜６０ｍＮ／ｍ（２５℃）の表面張力と、
３０〜６５°（２５℃）のＰＥＴプレート接触角と、
０〜３０°（２５℃）の水接触角と、
９０〜５００ｍｍ2／ｓ（４０℃）の動粘度と、
を有し、
上記拭取性向上剤が、清浄化用シートに移動し、着用者の皮膚に付着した体液を除去するように機能する、
ことを特徴とする、上記吸収性物品。
【００３９】
上記吸収性物品は、態様１と同様の効果を発揮することができる。
【００４０】
［態様１５］
上記拭取性向上剤が、着用者の皮膚に体液が付着することを抑制するように機能する、態様１４に記載の吸収性物品。
【００４１】
上記吸収性物品は、態様１と同様の効果を発揮することができる。
【００４２】
［吸収性物品］
本開示の吸収性物品は、液透過性シートと、液不透過性シートと、それらの間の吸収体とを備えており、上記吸収性物品は、体液の拭取性を向上させる拭取性向上剤又は拭取性向上剤を含む拭取性向上組成物を含んでいる。
【００４３】
本開示に係る拭取性向上剤は、
（ｉ）０．６〜３．０のＩＯＢと、
（ｉｉ）３９〜６０ｍＮ／ｍ（２５℃）の表面張力と、
（ｉｉｉ）３０〜６５°（２５℃）のＰＥＴプレート接触角と、
（ｉｖ）０〜３０°（２５℃）の水接触角と、
（ｖ）９０〜５００ｍｍ2／ｓ（４０℃）の動粘度と、
を有する。
【００４４】
上記拭取性向上剤は、０．６〜３．０のＩＯＢを有する。上記拭取性向上剤のＩＯＢの下限は、好ましくは０．７、そしてより好ましくは０．８である。また、上記拭取性向上剤のＩＯＢの上限は、好ましくは２．５、より好ましくは２．２、さらに好ましくは２．０、そしてさらにいっそう好ましくは１．５である。上記拭取性向上剤が上記ＩＯＢを有することにより、拭取性向上剤が、疎水性物質及び親水性物質とある程度の親和性を有し、粘性の高い体液（例えば、糞便、軟便、経血等）と一定の親和性（なじみやすさ）を有し、体液が上記被膜と適度になじむことができる。また、親水性の高い体液、例えば、尿との親和性が高くなりすぎず、親水性の高い体液により、拭取性向上剤が流れにくくなる。
【００４５】
ＩＯＢ（Ｉｎｏｒｇａｎｉｃ  Ｏｒｇａｎｉｃ  Ｂａｌａｎｃｅ）は、親水性及び親油性のバランスを示す指標であり、本明細書では、小田らによる次式：
ＩＯＢ＝無機性値／有機性値
により算出される値を意味する。
【００４６】
上記無機性値と、有機性値とは、藤田穆「有機化合物の予測と有機概念図」化学の領域Ｖｏｌ．１１，Ｎｏ．１０（１９５７）ｐ．７１９−７２５）に記載される有機概念図に基づく。
藤田氏による、主要な基の有機性値及び無機性値を、下記表１にまとめる。
【００４７】
【表１】
2020182543.tif 000002
【００４８】
上記拭取性向上剤は、２５℃において、３９〜６０ｍＮ／ｍ、そして好ましくは３９〜５０ｍＮ／ｍの表面張力を有する。それにより、拭取性向上剤が、吸収性物品から着用者の皮膚に移動しやすくなる。
なお、本明細書では、２５℃における表面張力を、「ｍＮ／ｍ（２５℃）」の単位で表記する場合がある。
【００４９】
上記拭取性向上剤の表面張力は、Ｗｉｌｈｅｌｍｙ法を用いて、２５℃で測定する。上記表面張力は、Ｋｉｂｒｏｎ社のＥＺ−Ｐｉ  Ｐｌｕｓを用い、プローブの移動速度を０．２ｍｍ／ｓとし、測定開始から６０秒後における表面張力を採用する。
表面張力は、同一の拭取性向上剤で１０回測定を行い、それらの平均値を採用する。
【００５０】
上記拭取性向上剤は、２５℃において、３０〜６５°、好ましくは３０〜５５°、より好ましくは３０〜４５°、そしてさらに好ましくは３０〜４０°のＰＥＴプレート接触角を有する。それにより、拭取性向上剤が、着用者の皮膚上で拡がり、被膜を形成しやすくなり、そして清浄化用シート等により、拭取性向上剤の被膜を剥離しやすくなる。
【００５１】
皮膚に対する水の接触角は、８２°であることが知られている（日本レオロジー学会誌，２００６年，第３４巻，第３号，１７１−１７５頁，「スキンケア製品の塗り心地とそのレオロジー特性」）。脱イオン水の、種々の樹脂製プレートに対する接触角を調べたところ、脱イオンの、ＰＥＴプレートへの接触角が８３°であり、ＰＥＴプレートが、皮膚と非常に近い親水性を示すことがわかった。従って、本明細書では、皮膚に対する濡れ性を評価するために、ＰＥＴプレートを用いる。
なお、本明細書では、２５℃におけるＰＥＴプレート接触角を、「°（２５℃）」の単位で表記する場合がある。
【００５２】
上記ＰＥＴプレート接触角は、以下の通り測定される。
（１）２５℃の恒温室に、自動接触角計ＣＡ−Ｖ型（協和界面科学株式会社製）と、ポリエチレンテレフタラート製のプレート（以下、「ＰＥＴプレート」と称する）とを準備する。なお、ＰＥＴプレートは、ＰＥＴ−６０１０（タキロンシーアイ株式会社製，サイズ：４１．５×８０．０×１．０ｍｍ）である。
（２）ＰＥＴプレートに、シリンジを用いて拭取性向上剤を約２μＬ滴下し、滴下から５秒後に、自動接触角計ＣＡ−Ｖ型を用いて、θ／２法により拭取性向上剤の接触角を測定する。
（３）測定を、ＰＥＴプレートの異なる場所で１０回行い、それらの平均値を接触角として採用する。
【００５３】
上記拭取性向上剤は、２５℃において、０〜３０°、好ましくは０〜２５°、より好ましくは０〜２０°、そしてさらに好ましくは０〜１５°の水接触角を有する。それにより、清浄化用シートに移動した拭取性向上剤が、清浄化用シートから離れにくくなり、そして清浄化用シート上の拭取性向上剤が、体液を、皮膚上に形成された被膜ごと除去しやすくなる。
なお、本明細書では、２５℃における水接触角を、「°（２５℃）」の単位で表記する場合がある。
【００５４】
上記水接触角は、以下の通り測定される。
（１）２５℃の恒温室に、自動接触角計ＣＡ−Ｖ型（協和界面科学株式会社製）と、ポリエチレンテレフタラート製のプレート（以下、「ＰＥＴプレート」と称する）とを準備する。なお、ＰＥＴプレートは、タキロンシーアイ株式会社のＰＥＴ−６０１０（４１．５×８０．０×１ｍｍ）である。
（２）ＰＥＴプレートに、拭取性向上剤を１０ｇ／ｍ2の坪量で塗布する。拭取性向上剤は、ＰＥＴプレートに、例えば、バーコーター（例えば、ステンレス棒に、ステンレス製の針金が巻かれているもの）により塗布することができる。
【００５５】
（３）拭取性向上剤の塗布から５分後、拭取性向上剤上に、シリンジを用いて脱イオン水を約２μＬ滴下し、滴下から５秒後に、自動接触角計ＣＡ−Ｖ型を用いて、θ／２法により脱イオン水の接触角を測定する。
（４）測定を、拭取性向上剤の異なる場所で１０回行い、それらの平均値を接触角として採用する。
【００５６】
上記拭取性向上剤は、４０℃において、９０〜５００ｍｍ2／ｓ、好ましくは１５０〜４５０ｍｍ2／ｓ、そしてより好ましくは２００〜４００ｍｍ2／ｓの動粘度を有する。それにより、拭取性向上剤が、吸収性物品の保管時等に移動しにくく、吸収性物品の使用時に、着用者の皮膚、次いで清浄化用シートに移動しやすくなる。
なお、本明細書では、４０℃における動粘度を、「ｍｍ2／ｓ（４０℃）」の単位で表記する場合がある。
【００５７】
上記動粘度は、ａ）拭取性向上剤の分子量が大きくなるほど、ｂ）極性基、例えば、カルボニル結合（−ＣＯ−）、エーテル結合（−Ｏ−）、カルボキシル基（−ＣＯＯＨ）、ヒドロキシル基（−ＯＨ）等の比率が高いほど、そしてｃ）ＩＯＢが大きくなるほど、高くなる傾向がある。
【００５８】
上記動粘度は、ＪＩＳ  Ｋ  ２２８３：２０００の「５．動粘度試験方法」に従って、キャノンフェンスケ逆流形粘度計を用いて、４０℃の試験温度で測定される。
なお、上記動粘度は、試験温度を２５℃に変更することにより、２５℃の動粘度を測定することもできる。
【００５９】
上記拭取性向上剤は、２５℃において、１００ｇの脱イオン水に、好ましくは１００ｇ以上の水溶解度を有する。それにより、着用者の皮膚に残存する拭取性向上剤が、新たな清浄化用シート等により除去されやすく、着用者の皮膚に残存しにくくなる。
なお、本明細書では、２５℃における水溶解度を、「ｇ（２５℃）」の単位で表記する場合がある。
【００６０】
水溶解度は、２５℃において、１００ｇの脱イオン水に、所定量、例えば、１００ｇの拭取性向上剤を添加し、１分間静置し、必要に応じて軽く攪拌し、次いで、拭取性向上剤が溶解したか否か目視で評価することにより測定することができる。
なお、本明細書では、水溶解度に関して、「溶解」には、拭取性向上剤が脱イオン水に完全に溶解し、均一混合物を形成した場合と、拭取性向上剤が完全にエマルション化した場合とが含まれる。なお、「完全」とは、脱イオン水に、拭取性向上剤の相が存在しないことを意味する。
【００６１】
上記拭取性向上剤は、好ましくは６００〜１，８００、より好ましくは８００〜１，６００、そしてさらに好ましくは１，０００〜１，４００の重量平均分子量を有する。それにより、着用者が、拭取性向上剤にべたつきを覚えにくくなる。
【００６２】
なお、本明細書において、「重量平均分子量」は、多分散系の化合物（例えば、逐次重合により製造された化合物、複数の脂肪酸と、複数の脂肪族１価アルコールとから生成されたエステル）と、単一化合物（例えば、１種の脂肪酸と、１種の脂肪族１価アルコールから生成されたエステル）とを含む概念であり、Ｎi個の分子量Ｍiの分子（ｉ＝１、又はｉ＝１，２・・・）からなる系において、次の式：
Ｍw＝ΣＮiＭi2／ΣＮiＭi
により求められるＭwを意味する。
【００６３】
本明細書において、重量平均分子量は、ゲルパーミエーションクロマトグラフィー（ＧＰＣ）により求められる、ポリスチレン換算の値を意味する。
ＧＰＣの測定条件としては、例えば、以下が挙げられる。
機種：（株）日立ハイテクノロジーズ製  高速液体クロマトグラム  Ｌａｃｈｒｏｍ  Ｅｌｉｔｅ
カラム：昭和電工（株）製  ＳＨＯＤＥＸ  ＫＦ−８０１、ＫＦ−８０３及びＫＦ−８０４
溶離液：ＴＨＦ
流量  ：１．０ｍＬ／分
打込み量：１００μＬ
検出：ＲＩ（示差屈折計）
なお、本明細書の実施例に記載される重量平均分子量は、上記条件により測定したものである。
【００６４】
上記拭取性向上剤は、その蒸気圧が低いことが好ましい。上記拭取性向上剤の蒸気圧は、２５℃（１気圧）で０〜２００Ｐａであることが好ましく、０〜１００Ｐａであることがより好ましく、０〜１０Ｐａであることがさらに好ましく、０〜１Ｐａであることがさらにいっそう好ましく、そして０．０〜０．１Ｐａであることがさらにいっそう好ましい。
【００６５】
本開示の吸収性物品が、人体に接して用いられることを考慮すると、上記蒸気圧は、４０℃（１気圧）で０〜７００Ｐａであることが好ましく、０〜１００Ｐａであることがより好ましく、０〜１０Ｐａであることがさらに好ましく、０〜１Ｐａであることがさらにいっそう好ましく、そして０．０〜０．１Ｐａであることがさらにいっそう好ましい。上記拭取性向上剤の蒸気圧が高いと、保存中に気化し、その量の減少、着用時の臭気等の問題が発生する場合があるからである。
【００６６】
上記拭取性向上剤は、好ましくは、次の（ｉ）及び（ｉｉ）、
（ｉ）  （ｉ−１）炭化水素部分と、（ｉ−２）上記炭化水素部分のＣ−Ｃ単結合間に挿入された、カルボニル基（−ＣＯ−）及びオキシ基（−Ｏ−）から成る群から選択される、一又は複数の、同一又は異なる基とを有する化合物（以下、「化合物（ｉ）」と称する場合がある）、及び
（ｉｉ）  （ｉｉ−１）炭化水素部分と、（ｉｉ−２）上記炭化水素部分のＣ−Ｃ単結合間に挿入された、カルボニル基（−ＣＯ−）及びオキシ基（−Ｏ−）から成る群から選択される、一又は複数の、同一又は異なる基と、（ｉｉ−３）上記炭化水素部分の水素原子を置換する、カルボキシル基（−ＣＯＯＨ）及びヒドロキシル基（−ＯＨ）から成る群から選択される、一又は複数の、同一又は異なる基とを有する化合物（以下、「化合物（ｉｉ）」と称する場合がある）、
並びにそれらの任意の組み合わせから成る群から選択される。
【００６７】
本明細書において、「炭化水素部分」は、炭素と水素とから成る部分を意味し、鎖状炭化水素部分、例えば、パラフィン系炭化水素部分（二重結合及び三重結合を含まない、アルカンとも称される）、オレフィン系炭化水素部分（二重結合を１つ含む、アルケンとも称される）、アセチレン系炭化水素部分（三重結合を１つ含む、アルキンとも称される）、及び二重結合及び三重結合から成る群から選択される結合を２つ以上含む炭化水素部分、並びに環状炭化水素部分、例えば、芳香族炭化水素部分、脂環式炭化水素部分、並びにそれらの任意の組み合わせが挙げられる。
【００６８】
なお、上記鎖状炭化水素には、直鎖状炭化水素及び分岐鎖状炭化水素が含まれる。また、上記脂環式炭化水素部分は、二重結合を含んでいてもよい。
上記炭化水素部分は、鎖状炭化水素部分及び脂環式炭化水素部分、並びにそれらの組み合わせ（例えば、脂環式炭化水素部分と、当該脂環式炭化水素部分に連結された鎖状炭化水素部分とを備える）からなる群から選択されることができる。
【００６９】
化合物（ｉ）及び化合物（ｉｉ）において、オキシ基（−Ｏ−）が２つ以上挿入されている場合には、各オキシ基（−Ｏ−）は隣接していない。従って、化合物（ｉ）及び化合物（ｉｉ）には、オキシ基が連続する化合物（いわゆる、過酸化物）は含まれない。
【００７０】
上記拭取性向上剤が化合物（ｉｉ）である場合には、炭化水素部分の少なくとも１つの水素原子がカルボキシル基（−ＣＯＯＨ）で置換された化合物よりも、炭化水素部分の少なくとも１つの水素原子が、ヒドロキシル基（−ＯＨ）で置換された化合物の方が好ましい。カルボキシル基が体液中の金属等と結合し、拭取性向上剤のＩＯＢ、表面張力、水溶解度等が高くなり、所定の範囲を超える場合があるからである。
【００７１】
上記拭取性向上剤は、より好ましくは、次の（ｉ’）及び（ｉｉ’）、
（ｉ’）  （ｉ’−１）炭化水素部分と、（ｉ’−２）上記炭化水素部分のＣ−Ｃ単結合間に挿入された、カルボニル結合（−ＣＯ−）、エステル結合（−ＣＯＯ−）、カーボネート結合（−ＯＣＯＯ−）、及びエーテル結合（−Ｏ−）から成る群から選択される、一又は複数の、同一又は異なる結合とを有する化合物（以下、「化合物（ｉ’）」と称する場合がある）、及び
（ｉｉ’）  （ｉｉ’−１）炭化水素部分と、（ｉｉ’−２）上記炭化水素部分のＣ−Ｃ単結合間に挿入された、カルボニル結合（−ＣＯ−）、エステル結合（−ＣＯＯ−）、カーボネート結合（−ＯＣＯＯ−）、及びエーテル結合（−Ｏ−）から成る群から選択される、一又は複数の、同一又は異なる結合と、（ｉｉｉ’−３）上記炭化水素部分の水素原子を置換する、カルボキシル基（−ＣＯＯＨ）及びヒドロキシル基（−ＯＨ）から成る群から選択される、一又は複数の、同一又は異なる基とを有する化合物（以下、「化合物（ｉｉ’）」と称する場合がある）、
並びにそれらの任意の組み合わせから成る群から選択される。
【００７２】
化合物（ｉ’）及び化合物（ｉｉ’）において、２以上の同一又は異なる結合が挿入されている場合、すなわち、カルボニル結合（−ＣＯ−）、エステル結合（−ＣＯＯ−）、カーボネート結合（−ＯＣＯＯ−）及びエーテル結合（−Ｏ−）から選択される２以上の同一又は異なる結合が挿入されている場合には、各結合は隣接しておらず、各結合の間には、少なくとも、炭素原子が１つ介在する。
【００７３】
上記拭取性向上剤が化合物（ｉｉ’）である場合には、炭化水素部分の少なくとも１つの水素原子がカルボキシル基（−ＣＯＯＨ）で置換された化合物よりも、炭化水素部分の少なくとも１つの水素原子が、ヒドロキシル基（−ＯＨ）で置換された化合物の方が好ましい。カルボキシル基が体液中の金属等と結合し、拭取性向上剤のＩＯＢ、表面張力、水溶解度等が高くなり、所定の範囲を超える場合があるからである。
【００７４】
上記拭取性向上剤は、さらに好ましくは、次の（Ａ）、
（Ａ）  （Ａ１）炭化水素部分と、前記炭化水素部分のＣ−Ｃ単結合間に挿入された、カルボニル結合（−ＣＯ−）、エステル結合（−ＣＯＯ−）、カーボネート結合（−ＯＣＯＯ−）、及びエーテル結合（−Ｏ−）から成る群から選択される、一又は複数の、同一又は異なる結合と、前記炭化水素部分の水素原子を置換する、カルボキシル基（−ＣＯＯＨ）及びヒドロキシル基（−ＯＨ）から成る群から選択される、一又は複数の、同一又は異なる基とを有する化合物と、（Ａ２）ポリオキシアルキレングリコールとのエステル又はエーテル（以下、「化合物Ａ」と称する場合がある）、
である。
以下、化合物（Ａ）について詳細に説明する。
【００７５】
［化合物（Ａ）］
化合物（Ａ）は、（Ａ１）炭化水素部分と、前記炭化水素部分のＣ−Ｃ単結合間に挿入された、カルボニル結合（−ＣＯ−）、エステル結合（−ＣＯＯ−）、カーボネート結合（−ＯＣＯＯ−）、及びエーテル結合（−Ｏ−）から成る群から選択される、一又は複数の、同一又は異なる結合と、前記炭化水素部分の水素原子を置換する、カルボキシル基（−ＣＯＯＨ）及びヒドロキシル基（−ＯＨ）から成る群から選択される、一又は複数の、同一又は異なる基とを有する化合物（以下、「化合物（Ａ１）」と称する場合がある）と、（Ａ２）ポリオキシアルキレングリコールとのエステル又はエーテルである。
【００７６】
化合物（Ａ１）は、カルボキシル基（−ＣＯＯＨ）及びヒドロキシル基（−ＯＨ）から成る群から選択される基を、少なくとも１つ以上、好ましくは２つ以上、そしてさらに好ましくは３つ以上有する。化合物（Ａ１）が有する上記基の数が増えることにより、例えば、上記基を３つ以上有することにより、化合物（Ａ１）、ひいては化合物（Ａ）が分岐ポリマーとなり、拭取性向上剤が、好ましい温度−粘性挙動を有する。
【００７７】
化合物（Ａ１）の例としては、（ａ１）糖類、（ａ２）鎖状炭化水素部分と、上記鎖状炭化水素部分の水素原子を置換する１〜１０個のヒドロキシル基とを有する化合物、（ａ３）鎖状炭化水素部分と、上記鎖状炭化水素部分の水素原子を置換する、１〜６個のカルボキシル基とを含むカルボン酸、ヒドロキシ酸、アルコキシ酸又はオキソ酸、及び（ａ４）それらの任意のエーテル又はエステルが挙げられる。
【００７８】
（ａ１）糖類としては、例えば、単糖類（例えば、グルコース、ガラクトース、マンノース、フルクトース）、二糖類（例えば、スクロース、ラクトース、マルトース、トレハロース、ツラノース、セロビオース）等が挙げられる。
【００７９】
（ａ２）鎖状炭化水素部分と、上記鎖状炭化水素部分の水素原子を置換する１〜１０個のヒドロキシル基とを有する化合物（以下、「化合物（ａ２）」と称する場合がある）としては、以下が例示される。
・鎖状炭化水素デカオール、例えば、アルカンデカオール
・鎖状炭化水素ノナオール、例えば、アルカンノナオール
・鎖状炭化水素オクタオール、例えば、アルカンオクタオール、例えば、Ｄ−エリトロ−Ｄ−ガラクト−オクチトール
・鎖状炭化水素ヘプタオール、例えば、アルカンヘプタオール、例えば、ボレミトール、ペルセイトール
・鎖状炭化水素ヘキサオール、例えば、アルカンヘキサオール、例えば、Ｄ−イジトール、ガラクチトール（ダルシトール）、Ｄ−グルシトール（ソルビトール）、マンニトール
・鎖状炭化水素ペンタオール、例えば、アルカンペンタオール、例えば、Ｄ−アラビニトール、Ｌ−アラビニトール、キシリトール、リビトール（アドニトール）
・鎖状炭化水素テトラオール、例えば、アルカンテトラオール、例えば、エリトリトール、Ｄ−トレイトール、Ｌ−トレイトール、ペンタエリトリトール
・鎖状炭化水素トリオール、例えば、アルカントリオール、例えば、グリセロール（グリセリン）
・鎖状炭化水素ジオール、例えば、アルカンジオール、例えば、Ｃ2〜Ｃ6のグリコール、例えば、エチレングリコール、プロピレングリコール、ブチレングリコール、ペンチレングリコール又はヘキシレングリコール
・鎖状炭化水素モノオール、例えば、アルカンモノオール、例えば、Ｃ2〜Ｃ6のアルコール、例えば、エタノール、プロパノール、ブタノール、ペンタノール又はヘキサノール
【００８０】
化合物（ａ２）は、鎖状炭化水素部分と、上記鎖状炭化水素部分の水素原子を置換する３〜１０個のヒドロキシル基とを有する化合物であることが好ましい。それにより、拭取性向上剤が分岐ポリマーとなり、拭取性向上剤が２５℃において高い粘度を有することができ、常温での保管時等に、拭取性向上剤が移動しにくくなる。
【００８１】
（ａ３）鎖状炭化水素部分と、上記鎖状炭化水素部分の水素原子を置換する、１〜６個のカルボキシル基とを含むカルボン酸、ヒドロキシ酸、アルコキシ酸又はオキソ酸（以下、「化合物（ａ３）」と称する場合がある)としては、以下が例示される。
・鎖状炭化水素ヘキサカルボン酸、例えば、アルカンヘキサカルボン酸、例えば、Ｃ30以下のアルカンヘキサカルボン酸、例えば、ブタン六酸、ペンタン六酸、ヘキサン六酸、ヘプタン六酸、オクタン六酸、ノナン六酸及びデカン六酸
・鎖状炭化水素ペンタカルボン酸、例えば、アルカンペンタカルボン酸、例えば、Ｃ30以下のアルカンペンタカルボン酸、例えば、ブタン五酸、ペンタン五酸、ヘキサン五酸、ヘプタン五酸、オクタン五酸、ノナン五酸及びデカン五酸
【００８２】
・鎖状炭化水素テトラカルボン酸、例えば、アルカンテトラカルボン酸、例えば、Ｃ30以下のアルカンテトラカルボン酸、例えば、ブタン四酸、ペンタン四酸、ヘキサン四酸、ヘプタン四酸、オクタン四酸、ノナン四酸及びデカン四酸
・鎖状炭化水素トリカルボン酸、例えば、アルカントリカルボン酸、例えば、Ｃ30以下のアルカントリカルボン酸、例えば、プロパン三酸、ブタン三酸、ペンタン三酸、ヘキサン三酸、ヘプタン三酸、オクタン三酸、ノナン三酸及びデカン三酸
・鎖状炭化水素ジカルボン酸、例えば、アルカンジカルボン酸、例えば、Ｃ30以下のアルカンジカルボン酸、例えば、エタン二酸、プロパン二酸、ブタン二酸、ペンタン二酸、ヘキサン二酸、ヘプタン二酸、オクタン二酸、ノナン二酸及びデカン二酸
・鎖状炭化水素モノカルボン酸、例えば、飽和脂肪酸、不飽和脂肪酸
【００８３】
上記飽和脂肪酸としては、例えば、Ｃ2〜Ｃ30の飽和脂肪酸、例えば、酢酸（Ｃ2）、プロパン酸（Ｃ3）、ブタン酸（Ｃ4）及びその異性体、例えば、２−メチルプロパン酸（Ｃ4）、ペンタン酸（Ｃ5）及びその異性体、例えば、２−メチルブタン酸（Ｃ5）、２，２−ジメチルプロパン酸（Ｃ5）、ヘキサン酸（Ｃ6）、ヘプタン酸（Ｃ7）、オクタン酸（Ｃ8）及びその異性体、例えば、２−エチルヘキサン酸（Ｃ8）、ノナン酸（Ｃ9）、デカン酸（Ｃ10）、ドデカン酸（Ｃ12）、テトラデカン酸（Ｃ14）、ヘキサデカン酸（Ｃ16）、ヘプタデカン酸（Ｃ17）、オクタデカン酸（Ｃ18）、エイコサン酸（Ｃ20）、ドコサン酸（Ｃ22）、テトラコサン酸（Ｃ24）、ヘキサコサン酸（Ｃ26）、オクタコサン酸（Ｃ28）、トリアコンタン酸（Ｃ30）等、並びに列挙されていないこれらの異性体が挙げられる。
【００８４】
上記不飽和脂肪酸としては、例えば、Ｃ3〜Ｃ20の不飽和脂肪酸、例えば、モノ不飽和脂肪酸、例えば、クロトン酸（Ｃ4）、ミリストレイン酸（Ｃ14）、パルミトレイン酸（Ｃ16）、オレイン酸（Ｃ18）、エライジン酸（Ｃ18）、バクセン酸（Ｃ18）、ガドレイン酸（Ｃ20）、エイコセン酸（Ｃ20）等、ジ不飽和脂肪酸、例えば、リノール酸（Ｃ18）、エイコサジエン酸（Ｃ20）等、トリ不飽和脂肪酸、例えば、リノレン酸、例えば、α-リノレン酸（Ｃ18）及びγ-リノレン酸（Ｃ18）、ピノレン酸（Ｃ18）、エレオステアリン酸、例えば、α-エレオステアリン酸（Ｃ18）及びβ-エレオステアリン酸（Ｃ18）、ミード酸（Ｃ20）、ジホモ-γ-リノレン酸（Ｃ20）、エイコサトリエン酸（Ｃ20）等、テトラ不飽和脂肪酸、例えば、ステアリドン酸（Ｃ20）、アラキドン酸（Ｃ20）、エイコサテトラエン酸（Ｃ20）等、ペンタ不飽和脂肪酸、例えば、ボセオペンタエン酸（Ｃ18）、エイコサペンタエン酸（Ｃ20）等、並びにこれらの部分水素付加物が挙げられる。
【００８５】
化合物（ａ３）は、鎖状炭化水素部分と、上記鎖状炭化水素部分の水素原子を置換する、３〜６個のカルボキシル基とを含むカルボン酸、ヒドロキシ酸、アルコキシ酸又はオキソ酸であることが好ましい。それにより、拭取性向上剤が分岐ポリマーとなり、拭取性向上剤が２５℃において高い粘度を有することができ、常温での保管時等に、拭取性向上剤が移動しにくくなる。
【００８６】
（ａ４）それらの任意のエーテル又はエステル（以下、「化合物（ａ４）」と称する場合がある）としては、化合物（ａ１）から化合物（ａ４）の任意のエステル又はエーテル、例えば、化合物（ａ２）のエーテル、例えば、ポリアルカントリオール、例えば、ポリグリセロール、例えば、ジグリセロール、トリグリセロール、ポリグリコール、ポリアルカンジオール、例えば、ポリエチレングリコールが挙げられる。
【００８７】
また、化合物（ａ３）には、２〜４個のカルボキシル基を有する鎖状炭化水素ヒドロキシ酸、例えば、リンゴ酸、酒石酸、クエン酸、イソクエン酸等、２〜４個のカルボキシル基を有する鎖状炭化水素アルコキシ酸、例えば、Ｏ−アセチルクエン酸、及び２〜４個のカルボキシル基を有する鎖状炭化水素オキソ酸が含まれる。
【００８８】
化合物（Ａ２）の例としては、ポリオキシＣ2〜Ｃ6アルキレングリコールが挙げられる。上記ポリオキシＣ2〜Ｃ6アルキレングリコールは、オキシＣ2〜Ｃ6アルキレン骨格、すなわち、オキシエチレン骨格、オキシプロピレン骨格、オキシブチレン骨格、オキシペンチレン骨格、及びオキシヘキシレン骨格から成る群から選択されるいずれか１種の骨格を有し且つ両末端にヒドロキシ基を有するホモポリマー、ｉｉ）上記群から選択される２種以上の骨格を有し且つ両末端にヒドロキシ基を有するブロックコポリマー、又はｉｉｉ）上記群から選択される２種以上の骨格を有し且つ両末端にヒドロキシ基を有するランダムコポリマーを意味する。
【００８９】
上記ポリオキシＣ2〜Ｃ6アルキレングリコールは、次の式（１）：
ＨＯ−（ＣmＨ2mＯ）n−Ｈ      （１）
（式中、ｍは、２〜６の整数である）
により表わされる。
【００９０】
化合物（Ａ）の具体例として、以下が挙げられる。
・ユニオール  ＨＳ−１６００Ｄ，日油株式会社製
ソルビトール１モルに、プロピレンオキシド２５モルを付加させることにより生成したポリオキシプロピレンソルビット，重量平均分子量：約１，６００
・ユニルーブ  ＤＧＰ−７００，日油株式会社製
ジグリセロール１モルに、プロピレンオキシド９モルを付加させることにより生成したポリオキシプロピレンジグリセリルエーテル，重量平均分子量：約７００
【００９１】
・マクビオブライドＭＧ−１０Ｐ，日油株式会社製
グルコース１モルに、プロピレンオキシド１０モルを付加させることにより生成したポリオキシプロピレンメチルグルコシド，重量平均分子量：約７７０
・マクビオブライドＭＧ−２０Ｐ，日油株式会社製
グルコース１モルに、プロピレンオキシド２０モルを付加させることにより生成したポリオキシプロピレンメチルグルコシド，重量平均分子量：約１３５０
【００９２】
・マクビオブライドＭＧ−１０Ｅ，日油株式会社製
グルコース１モルに、エチレンオキシド１０モルを付加させることにより生成したポリオキシエチレンメチルグルコシド，重量平均分子量：約６３０
・マクビオブライドＭＧ−２０Ｅ，日油株式会社製
グルコース１モルに、エチレンオキシド２０モルを付加させることにより生成したポリオキシエチレンメチルグルコシド，重量平均分子量：約１，０７０
【００９３】
・ウィルブライトＳ−７５３，日油株式会社製
グリセリン１モルに、エチレンオキシド８モル、プロピレンオキシド５モル、ブチレンオキシド３モルを付加することにより生成したポリオキシエチレンポリオキシプロピレンポリオキシブチレングリセリン，重量平均分子量：約９６０
【００９４】
本開示の吸収性物品では、拭取性向上剤が、分岐ポリマーであることが好ましい。拭取性向上剤が２５℃において高い粘度を有することができ、常温での保管時等に、拭取性向上剤が移動しにくくなる。
上記分岐ポリマーは、好ましくは３以上の分岐鎖、より好ましくは４以上の分岐鎖、さらに好ましくは５以上の分岐鎖、そしてさらにいっそう好ましくは６以上の分岐鎖を有する。
【００９５】
［拭取性向上組成物］
拭取性向上組成物は、上述の拭取性向上剤と、少なくとも１種の他の成分とを含む。上記少なくとも１種の他の成分としては、本開示の効果を阻害しないものであれば特に制限されず、当業界で吸収性物品、特にトップシートに慣用的に適用されるものが挙げられる。
上記少なくとも１種の他の成分としては、例えば、シリコーンオイル、シリコーン、シリコーン系レジン等が挙げられる。
上記少なくとも１種の他の成分としては、例えば、酸化防止剤、例えば、ＢＨＴ（２，６−ジ−ｔ−ブチル−ｐ−クレゾール）、ＢＨＡ（ブチル化ヒドロキシアニソール）、没食子酸プロピル等が挙げられる。
【００９６】
上記少なくとも１種の他の成分としては、例えば、ビタミン、例えば、天然ビタミン又は合成ビタミンが挙げられる。上記ビタミンとしては、例えば、水溶性ビタミン、例えば、ビタミンＢ群、例えば、ビタミンＢ1，ビタミンＢ2，ビタミンＢ3，ビタミンＢ5，ビタミンＢ6，ビタミンＢ7，ビタミンＢ9，ビタミンＢ12等、ビタミンＣが挙げられる。
上記ビタミンとしては、例えば、脂溶性ビタミン、例えば、ビタミンＡ群、ビタミンＤ群、ビタミンＥ群、及びビタミンＫ群等が挙げられる。
上記ビタミンにはまた、それらの誘導体も含まれる。
【００９７】
上記少なくとも１種の他の成分としては、例えば、アミノ酸、例えば、アラニン、アルギニン、リジン、ヒスチジン、プロリン、ヒドロキシプロリン等、並びにペプチドが挙げられる。
【００９８】
上記少なくとも１種の他の成分としては、例えば、ゼオライト、例えば、天然ゼオライト、例えば、方沸石、菱沸石、輝沸石、ナトロライト、束沸石、及びソモソナイト、並びに、合成ゼオライトが挙げられる。
上記少なくとも１種の他の成分としては、例えば、コレステロール、ヒアルロン酸、レシチン、セラミド等が挙げられる。
【００９９】
また、上記少なくとも１種の他の成分としては、例えば、薬剤、例えば、皮膚収斂剤、抗ニキビ剤、抗シワ剤、抗セルライト剤、美白剤、抗菌剤、抗カビ剤等が挙げられる。
上記皮膚収斂剤としては、例えば、酸化亜鉛、硫酸アルミニウム、タンニン酸等、油溶性皮膚収斂剤、例えば、油溶性ポリフェノールが挙げられる。上記油溶性ポリフェノールとしては、天然の油溶性ポリフェノール、例えば、オオバクエキス、オトギリソウエキス、オドリコソウエキス、カモミラエキス、ゴボウエキス、サルビアエキス、シナノキエキス、セイヨウボダイジュエキス、シラカバエキス、スギナエキス、セージエキス、サルビアエキス、テウチグルミエキス、ハイビスカスエキス、ビワ葉エキス、ボダイジュエキス、ホップエキス、マロニエエキス、ヨクイニンエキス等が挙げられる。
【０１００】
上記抗ニキビ剤としては、例えば、サリチル酸、過酸化ベンゾイル、レゾルシノール、イオウ、エリスロマイシン、亜鉛等が挙げられる。
上記抗シワ剤としては、例えば、乳酸、サリチル酸、サリチル酸誘導体、グリコール酸、フィチン酸、リポ酸、リソフォスファチド酸が挙げられる。
【０１０１】
上記抗セルライト剤としては、例えば、キサンチン化合物、例えば、アミノフィリン、カフェイン、テオフィリン、テオブロミン等が挙げられる。
上記美白剤としては、例えば、ナイアシンアミド、コウジ酸、アルブチン、グルコサミン及び誘導体、フィトステロール誘導体、アスコルビン酸及びその誘導体、並びにクワ抽出物及び胎盤抽出物が挙げられる。
【０１０２】
また、上記少なくとも１種の他の成分としては、例えば、抗炎症成分、ｐＨ調整剤、抗菌剤、保湿剤、香料、色素、染料、顔料、植物抽出エキス等が挙げられる。上記抗炎症成分としては、例えば、天然由来の抗炎症剤、例えば、ボタン、オオゴン、オトギリソウ、カモミール、甘草、モモノハ、ヨモギ、シソエキス等、合成抗炎症剤、例えば、アラントイン、グリチルリチン酸ジカリウム等が挙げられる。
上記ｐＨ調整剤としては、皮膚を弱酸性に保つためのもの、例えば、リンゴ酸、コハク酸、クエン酸、酒石酸、乳酸等が挙げられる。
上記顔料としては、例えば、酸化チタンが挙げられる。
【０１０３】
上記拭取性向上組成物は、拭取性向上剤及び少なくとも１種の他の成分を、それぞれ、好ましくは５０．０〜９９．９質量％及び０．１〜５０．０質量％、より好ましくは６０．０〜９９．９質量％及び０．１〜４０．０質量％、さらに好ましくは７０．０〜９９．９質量％及び０．１〜３０．０質量％、さらにいっそう好ましくは８０．０〜９９．９質量％及び０．１〜２０．０質量％、さらにいっそう好ましくは９０．０〜９９．９質量％及び０．１〜１０．０質量％、そしてさらにいっそう好ましくは９５．０〜９９．９質量％及び０．１〜５．０質量％含む。本開示の効果の観点からである。
【０１０４】
上記拭取性向上組成物は、本開示の効果を奏する範囲で、界面活性剤を含んでもよい。より具体的には、上記拭取性向上組成物は、界面活性剤を、好ましくは０．０〜１．０ｇ／ｍ2、より好ましくは０．０〜０．８ｇ／ｍ2、さらに好ましくは０．１〜０．５ｇ／ｍ2、そしてさらにいっそう好ましくは０．１〜０．３ｇ／ｍ2の坪量の範囲で含む。
界面活性剤の量が増えると、拭取性向上剤の表面張力、ＰＥＴ接触角、水接触角等が所定の範囲から外れ、拭取性向上剤がその効果を発揮しにくくなる傾向がある。
【０１０５】
上記拭取性向上組成物は、水を含まないことが好ましいが、開示の効果を奏する範囲で、水を含むことも許容される。上記拭取性向上組成物が水を含む場合には、上記拭取性向上組成物は、水を、好ましくは０．０ｇ／ｍ2超且つ１．０ｇ／ｍ2以下、より好ましくは０．０ｇ／ｍ2超且つ０．８ｇ／ｍ2以下、さらに好ましくは０．１ｇ／ｍ2〜０．５ｇ／ｍ2、そしてさらにいっそう好ましくは０．１ｇ／ｍ2〜０．３ｇ／ｍ2の坪量の範囲で含む。
水は、吸収性物品の吸収性能を低下させるため、少ないことが好ましい。
【０１０６】
上記拭取性向上組成物は、拭取性向上剤と同様に、上記拭取性向上組成物全体で、４０℃において、好ましくは９０〜５００ｍｍ2／ｓ、より好ましくは１５０〜４５０ｍｍ2／ｓ、そしてさらに好ましくは２００〜４００ｍｍ2／ｓの動粘度を有する。それにより、拭取性向上組成物、ひいては拭取性向上剤が、吸収性物品の保管時等に移動しにくく、吸収性物品の使用時に、着用者の皮膚、次いで清浄化用シートに移動しやすくなる。
【０１０７】
上記拭取性向上組成物は、拭取性向上剤と同様に、上記拭取性向上組成物全体で、２５℃において、好ましくは３９〜６０ｍＮ／ｍ、そしてより好ましくは３９〜５０ｍＮ／ｍの表面張力を有する。それにより、拭取性向上組成物、ひいては拭取性向上剤が、吸収性物品から着用者の皮膚に移動しやすくなる。
【０１０８】
上記拭取性向上組成物は、拭取性向上剤と同様に、２５℃において、好ましくは３０〜６５°、より好ましくは３０〜５５°、さらに好ましくは３０〜４５°、そしてさらにいっそう好ましくは３０〜４０°のＰＥＴプレート接触角を有する。それにより、拭取性向上組成物、ひいては拭取性向上剤が、着用者の皮膚上で拡がり、被膜を形成しやすくなり、そして清浄化用シート等により、拭取性向上剤の被膜を剥離しやすくなる。
【０１０９】
上記拭取性向上組成物は、拭取性向上剤と同様に、２５℃において、好ましくは０〜３０°、より好ましくは０〜２５°、さらに好ましくは０〜２０°、そしてさらにいっそう好ましくは０〜１５°の水接触角を有する。それにより、清浄化用シートに移動した拭取性向上組成物、ひいては拭取性向上剤が、清浄化用シートから離れにくくなり、そして清浄化用シート上の拭取性向上剤が、体液を、皮膚上に形成された被膜ごと除去しやすくなる。
【０１１０】
上記液透過性シートとしては、当技術分野で通常用いられているものを、特に制限なく採用することができ、例えば、液体を透過する構造を有するシート状材料、例えば、開孔フィルム、織布、不織布等が挙げられる。上記織布及び不織布を構成する繊維として、天然繊維及び化学繊維が挙げられ、天然繊維としては、例えば、粉砕パルプ、コットン等のセルロースが挙げられ、化学繊維としては、例えば、レーヨン、フィブリルレーヨン等の再生セルロース、アセテート、トリアセテート等の半合成セルロース、熱可塑性疎水性化学繊維、並びに親水化処理を施した熱可塑性疎水性化学繊維が挙げられる。
【０１１１】
上記熱可塑性疎水性化学繊維としては、例えば、ポリエチレン（ＰＥ）、ポリプロピレン（ＰＰ）、ポリエチレンテレフタレート（ＰＥＴ）等の単繊維、ＰＥ及びＰＰのグラフト重合物からなる繊維が挙げられる。
上記不織布の例としては、例えば、エアスルー不織布、スパンボンド不織布、ポイントボンド不織布、スパンレース不織布、ニードルパンチ不織布、メルトブローン不織布、及びこれらの組み合わせ（例えば、ＳＭＳ等）等が挙げられる。
【０１１２】
本開示の吸収性物品は、当技術分野に公知の方法に従って吸収性物品を形成した後、例えば、液透過性シート、例えば、液透過性シートの排泄口当接域に、拭取性向上剤又は拭取性向上組成物を塗布することにより製造することができる。
【０１１３】
上記拭取性向上剤又は拭取性向上組成物は、所望により、揮発性溶媒、例えば、アルコール系溶媒、エステル系溶媒、芳香族系溶媒等を含む塗布液として塗装することができる。上記塗布液が揮発性溶媒を含むことにより、上記拭取性向上剤又は拭取性向上組成物を含む塗布液の粘度が下がるために、塗布が容易になる、塗装時の加温が不要になる等の塗布工程の簡易化が図れる。
【０１１４】
上記拭取性向上剤又は拭取性向上組成物、あるいはそれを含む塗布液の塗布方法は、特に制限されるものではなく、必要に応じて上記拭取性向上剤又は拭取性向上組成物、あるいはそれを含む塗布液を加熱し、例えば、非接触式のコーター、例えば、スパイラルコーター、カーテンコーター、スプレーコーター、ディップコーター等、接触式のコーター等の塗布装置を用いて、上記拭取性向上剤又は拭取性向上組成物、あるいはそれを含む塗布液を塗布することができる。上記塗布装置としては、液滴状又は粒子状の改質剤が全体に均一に分散される点、及び資材にダメージを与えない観点から、非接触式のコーターが好ましい。
【０１１５】
また、上記拭取性向上剤又は拭取性向上組成物、あるいはそれを含む塗布液は、室温で液体の場合にはそのまま、又は粘度を下げるために加熱され、そして室温で固体の場合には液化するように加熱され、コントロールシームＨＭＡ（Ｈｏｔ  Ｍｅｌｔ  Ａｄｈｅｓｉｖｅ）ガンから塗布されることができる。コントロールシームＨＭＡガンのエアー圧を高くすることにより、微粒子状の拭取性向上剤又は拭取性向上組成物を塗布することができる。
なお、血液改質付与剤又は拭取性向上組成物の塗布量は、例えば、コントロールシームＨＭＡガンからの塗出量を増減することにより調節することができる。
【０１１６】
本開示の吸収性物品では、拭取性向上剤又は拭取性向上組成物は、本開示の効果を奏する範囲で任意の場所に塗工することができ、例えば、吸収性物品の厚さ方向において、液透過性シート、例えば、液透過性シートの肌当接面等に塗工することができる。
本開示の吸収性物品では、拭取性向上剤又は拭取性向上組成物は、吸収性物品の平面方向において、例えば、液透過性シートの全体、又は排泄口当接域、具体的には、肛門当接域、膣口当接域等に配置されうる。
【０１１７】
本開示の吸収性物品では、拭取性向上剤又は拭取性向上組成物を、拭取性向上剤の坪量が、好ましくは１．０〜３０ｇ／ｍ2、より好ましくは２．０〜２０ｇ／ｍ2、そしてさらに好ましくは３．０〜１０ｇ／ｍ2の坪量となるような範囲で含む。それにより、拭取性向上剤が、その機能を発揮しつつ、粘度の低い体液が吸収体に移行することを阻害しにくくなる。
【０１１８】
本明細書では、吸収性物品が含む拭取性向上剤の坪量は、以下のように測定される。
（１）吸収性物品、例えば、液透過性シートの測定すべき範囲を、鋭利な刃物、例えば、カッターの替え刃を用いて、その厚さを変化させないように切り出して、サンプルを得る。
（２）サンプルの面積：ＳＡ（ｍ2）及び質量：ＳＭ0（ｇ）を測定する。
（３）サンプルを、拭取性向上剤を可溶な溶媒、例えば、エタノール、アセトン等の中で、少なくとも３分間攪拌し、拭取性向上剤を溶媒中に溶解させる。
【０１１９】
（４）サンプルを、質量を測定したろ紙の上でろ過し、ろ紙上で、サンプルを溶媒で十分に洗浄する。ろ紙上のサンプルを、６０℃のオーブン内で乾燥させる。
（５）ろ紙及びサンプルの質量を測定し、そこからろ紙の質量を減ずることにより、乾燥後のサンプルの質量：ＳＭ1（ｇ）を算出する。
（６）拭取性向上剤の坪量ＢＢＳ（ｇ／ｍ2）を、次の式：
ＢＢＳ（ｇ／ｍ2）＝［ＳＭ0（ｇ）−ＳＭ1（ｇ）］／ＳＡ（ｍ2）
により算出する。
なお、誤差を少なくするために、サンプルの総面積が１００ｃｍ2を超えるように、複数の吸収性物品から複数のサンプルを採取し、複数回実験を繰り返し、それらの平均値を採用する。
【０１２０】
本開示の吸収性物品としては、使い捨ておむつ、尿取りパッド、使い捨てショーツ、生理用ナプキン、パンティーライナー、ペットシート、おむつ交換用シート等が挙げられる。
【０１２１】
［清浄化用シート］
本開示の清浄化用シートは、体液の拭取性を向上させる拭取性向上剤又は前記拭取性向上剤を含む拭取性向上組成物と、繊維シートとを含む。
清掃シート用の拭取性向上剤は、
（ｉ）０．６〜３．０のＩＯＢと、
（ｉｉ）３９〜６０ｍＮ／ｍ（２５℃）の表面張力と、
（ｉｉｉ）３０〜６５°（２５℃）のＰＥＴプレート接触角と、
（ｉｖ）０〜３０°（２５℃）の水接触角と、
を有する。
【０１２２】
清掃シート用の拭取性向上剤において、（ｉ）〜（ｉｖ）の要件は、「吸収性物品」の箇所で説明済みであるため、ここでの説明を省略する。
清掃シート用の拭取性向上剤は、移動する必要性が低いため、９０〜５００ｍｍ2／ｓ（４０℃）の動粘度を有しなくともよいが、９０〜５００ｍｍ2／ｓ（４０℃）の動粘度を有してもよい。それにより、拭取性向上剤を清掃シートに塗布した場合に、拭取性向上剤が、清掃シートから着用者の皮膚に移動しやすくなる。
【０１２３】
上記繊維シートとしては、「吸収性物品」の箇所で説明した液透過性シートと同様のものが挙げられ、例えば、薬液を含浸させたウェットワイプスとして用いられる。
【０１２４】
［拭取性向上剤又は拭取性向上組成物の使用］
本開示の拭取性向上剤又は拭取性向上組成物の使用において、拭取性向上剤は、
（ｉ）０．６〜３．０のＩＯＢと、
（ｉｉ）３９〜６０ｍＮ／ｍ（２５℃）の表面張力と、
（ｉｉｉ）３０〜６５°（２５℃）のＰＥＴプレート接触角と、
（ｉｖ）０〜３０°（２５℃）の水接触角と、
を有する。
【０１２５】
上記拭取性向上剤において、（ｉ）〜（ｉｖ）の要件は、「吸収性物品」の箇所で説明済みであるため、ここでの説明を省略する。
清掃シート用の拭取性向上剤は、移動する必要性が低いため、９０〜５００ｍｍ2／ｓ（４０℃）の動粘度を有しなくともよいが、９０〜５００ｍｍ2／ｓ（４０℃）の動粘度を有してもよい。
【０１２６】
拭取性向上剤が用いられる繊維製品としては、特に制限されず、上述の吸収性物品、上記清掃シート等が挙げられる。
【実施例】
【０１２７】
以下、例を挙げて本開示を説明するが、本開示はこれらの例に限定されるものではない。
［例１］
［便拭取率及び被膜形成性の評価］
表２に示される拭取性向上剤Ｎｏ．１〜Ｎｏ．２２を準備した。拭取性向上剤Ｎｏ．１〜Ｎｏ．２２の詳細は、以下の通りであるが、拭取性向上剤Ｎｏ．１〜Ｎｏ．７については、本明細書にて説明済のため省略する。
＜Ｎｏ．８＞
・ユニオールＤ−１０００，日油株式会社製
【０１２８】
ポリプロピレングリコール，重量平均分子量：約１，０００
＜Ｎｏ．９＞
・ユニオールＰＢ−７００，日油株式会社製
ポリオキシブチレンポリオキシプロピレングリコール，重量平均分子量：約７００
＜Ｎｏ．１０＞
・ソルビュールＧＳ−０１
ＰＰＧ−１３−デシルテトラデセス−２４，重量平均分子量：約２，１６０
【０１２９】
＜Ｎｏ．１１＞
・ユニルーブＭＳ−７０Ｋ，日油株式会社製
ポリプロピレングリコールのステアリルエーテル，約１５の繰返し単位，重量平均分子量：約１，１４０
＜Ｎｏ．１２＞
・ユニセーフＰＧＭＬ，日油株式会社製
ラウリン酸プロピレングリコール，重量平均分子量：約２６０
＜Ｎｏ．１３＞
・コムポールＢＬ，日油株式会社製
ブチレングリコールのドデカン酸（Ｃ12）モノエステル，重量平均分子量：約２７０
【０１３０】
＜Ｎｏ．１４＞
・パナセート８１０Ｓ，日油株式会社製
Ｃ8の脂肪酸：Ｃ10の脂肪酸がおおよそ８５：１５の重量比で含まれている、グリセリンと脂肪酸とのトリエステル，重量平均分子量：約４８０
＜Ｎｏ．１５＞
・ユニオール  ＴＧ−１０００，日油株式会社製
ポリプロピレングリコールのグリセリルエーテル，約１６の繰返し単位，重量平均分子量：約１，０００
【０１３１】
＜Ｎｏ．１６＞
・ユニスター  Ｈ−４０８ＢＲＳ，日油株式会社製
テトラ２−エチルヘキサン酸ペンタエリトリトール，重量平均分子量：約６４０
＜Ｎｏ．１７＞
・パールリーム６，日油株式会社製
流動イソパラフィン、イソブテン及びｎ-ブテンを共重合し、次いで水素を付加することにより生成された分岐鎖炭化水素、重合度：約５〜約１０，重量平均分子量：約３３０
＜Ｎｏ．１８＞
・グリセリン
【０１３２】
＜Ｎｏ．１９＞
・ユニオールＳＧＰ−６５，日油株式会社製
ポリプロピレングリコールのグリセリルエーテル，約８の繰返し単位，重量平均分子量：約５５０
＜Ｎｏ．２０＞
・アクロビュートＭＢ−９０，日油株式会社製
ＰＰＧ−９０ブチルエーテル，重量平均分子量：約５，３００
【０１３３】
＜Ｎｏ．２１＞
・ユニルーブ７５ＤＥ−２６２０Ｒ，日油株式会社製
ポリオキシエチレンポリオキシプロピレングリコール（２４０Ｅ．Ｏ．）（６０Ｐ．Ｏ．），重量平均分子量：約１４，０００
＜Ｎｏ．２２＞
マクビオブライドＭＧ−１０Ｐを５０質量部と、ステアリルアルコールを５０質量部とを混合し、拭取性向上剤Ｎｏ．２２とした。
なお、ステアリルアルコールは、特許文献３に、２５℃で固体の固体脂肪族アルコール及び結晶化促進剤Ｃとして列挙されている。
拭取性向上剤Ｎｏ．１〜Ｎｏ．２２の特性を、表２に示す。
【０１３４】
［便拭取率］
便拭取率を、以下の通り測定した。
（１）２５℃の恒温室に、アクリル板（サイズ：１４０ｍｍ×３６０ｍｍ）に、人工皮革（イデアテックスジャパン社製，ＰＢＺ１３００１，サイズ：１４０ｍｍ×２００ｍｍ）を、アクリル板の短手方向及び人工皮革の短手方向を一致させ且つアクリル板の長手方向の中心と、人工皮革の長手方向の中心とが一致するように貼り付けた試験板を準備する。また、おもりとして、ステンレス板（５０×８０ｍｍ，単位面積（ｃｍ2）当たりの質量：０．７４ｇ）を準備する。
【０１３５】
（２）人工軟便を準備し、その粘度を、ＴＶＢ１０型粘度計（東機産業社製）で都度測定しながら、脱イオン水を加え、７，０００ｍＰａ・ｓに調整する。
なお、人工軟便は、脱イオン水：７１．９質量部、塩化ナトリウム：１．０質量部、グリセリン：１５．０質量部、ＣＭＣナトリウム：２．０質量部、トリトンＸ−１００：０．０５質量部、赤色１０２号：０．０５質量部、及び粉末セルロース：１０．０質量部を混合することにより作成する。
（３）人工皮革の上に、拭取性向上剤Ｎｏ．１〜Ｎｏ．２２のそれぞれを、１０ｇ／ｍ2の坪量で塗工する。
【０１３６】
（４）人工皮革の上に、人工皮革の長手方向の一方の端縁から５０ｍｍ且つ短手方向の中心に、人工軟便０．５ｇを乗せる。
（５）ウェットワイプス（ユニ・チャーム社製，ムーニーおしりふき厚手）の初期質量：ｍ0（ｇ）を測定した後、ウェットワイプスを２つ折りにし、ウェットワイプスを、人工軟便の上に、ウェットワイプスの中心と、人工軟便との位置が一致するように乗せる。
（６）ステンレス板を、ウェットワイプスの上に、ステンレス板の中心と、ウェットワイプスの中心とが一致するように乗せる。
【０１３７】
（７）ステンレス板を乗せたまま、ウェットワイプスを、人工皮革の長手方向の他方の端縁まで、約４００ｍｍ／分の速度で移動させる。
（８）ウェットワイプスの試験後質量：ｍ1（ｇ）を測定し、便拭取率を、次の式：
便拭取率（質量％）＝１００×（ｍ1−ｍ0）／０．５
（９）拭取性向上剤Ｎｏ．１〜Ｎｏ．２２のそれぞれにおいて測定を計３回行い、計３回の平均値を採用する。
【０１３８】
［被膜形成性］
被膜形成性を、以下の通り試験した。
（１）拭取性向上剤Ｎｏ．１〜Ｎｏ．２２のそれぞれを、被験者の前腕の皮膚に塗布して塗り広げた際に、被膜の形成性を、以下の３段階で評価する。
○：均一な被膜が形成される。
△：不均一な被膜が形成される。
×：被膜が形成されない。
【０１３９】
【表２】
2020182543.tif 000003
【０１４０】
拭取性向上剤Ｎｏ．１〜Ｎｏ．７は、便拭取率が高く、便拭取性に優れることが分かる。また、拭取性向上剤Ｎｏ．３は、２５℃で固体の固体脂肪族アルコール及び結晶化促進剤Ｃとして列挙されているステアリルアルコールを含む拭取性向上剤Ｎｏ．２２と比較して、便拭取性に優れることが分かる。拭取性向上剤Ｎｏ．２２は、ウェットワイプスにあまり移動しておらず、人工皮革上の拭取性向上剤Ｎｏ．２２に、人工軟便が残存していた。
【０１４１】
［例２］
市販の使い捨ておむつ（ユニ・チャーム株式会社製，ムーニーＳサイズ）に、拭取性向上剤Ｎｏ．１〜Ｎｏ．２２のそれぞれを、１０ｇ／ｍ2の坪量で、肛門当接域を中心に１５０×７５ｍｍの範囲で塗工し、使い捨ておむつＮｏ．１〜Ｎｏ．２２を製造した。
ボランティアの被験者１０名に使い捨ておむつＮｏ．１〜Ｎｏ．２２のそれぞれを着用してもらい、使い捨ておむつの交換の際に、ウェットワイプス（ユニ・チャーム社製，ムーニーおしりふき厚手）を用いて、着用者の皮膚を清浄化してもらい、清浄化に必要なウェットワイプスの枚数を記録してもらった。
【０１４２】
その結果、被膜形成性に優れる拭取性向上剤ほど、着用者の皮膚を清浄化するために用いられるウェットワイプスの枚数が少なくなる傾向があった。また、被膜形成性に優れる拭取性向上剤を含む使い捨ておむつでは、拭取性向上剤の便拭取率が高いほど、着用者の皮膚を清浄化するために用いられるウェットワイプスの枚数が少なくなる傾向があった。
例えば、拭取性向上剤の塗工されていない使い捨ておむつのウェットワイプスの使用枚数は、３．６４枚／回であったところ、拭取性向上剤Ｎｏ．３を含む使い捨ておむつＮｏ．３のウェットワイプスの使用枚数は、２．８８枚／回であった。